(57)【要約】【課題】  構造が簡単で、堅牢、軽量であり、安価に得られ、しかも取り扱いが容易な樹木伐採用の引きロープ取付具を提供する。【解決手段】  引きロープ取付具１は、作業者が下端部を捧げ持つためのポール２と、ポールの上端部に取り付けられるロープガイド３及びフック４を具備する。ロープガイド３は、ポール２の上端部からその軸線に対して所定の角度をもって延出し、樹木Ｔを半周以上包囲できるようにほぼＵ字状に湾曲する。ロープガイド３は、ポール２の下端側から延びるロープのＲ先端側をその湾曲に沿って保持するためのロープ保持部５を具備する。ロープ保持部５は、ロープＲを乗せ受け、かつロープＲをロープガイド３から上方へ容易に離脱させることができるように上方へ開放している。フック４は、樹木Ｔに掛け回されたロープＲの先端の係合部に係合させてロープを引き下ろすために用いられる。【選択図】  図１
2006238807.tif 000002
【特許請求の範囲】
【請求項１】
作業者が下端部を捧げ持つポールと、ポールの上端部に取り付けられるロープガイドとを具備し、
前記ロープガイドは、前記ポールの上端部からその軸線に対して所定の角度をもって延出し、樹木の枝又は幹を半周以上包囲できるように屈曲して終結し、かつ前記ポールの下端側から延びるロープの先端側を屈曲に沿って保持するロープ保持部を備え、
前記ロープ保持部は、解放された前記ロープを前記ロープガイドの屈曲に沿って自重で先端側へ滑落させることができるように乗せ受け、かつロープをロープガイドから容易に離脱させることができるように開放していることを特徴とする樹木の引きロープ取付具。
【請求項２】
作業者が下端部を捧げ持つポールと、ポールの上端部に取り付けられるロープガイドと、同じくポールの上端部に取り付けられるフックとを具備し、
前記ロープガイドは、前記ポールの上端部からその軸線に対して所定の角度をもって延出し、樹木の枝又は幹を半周以上包囲できるように屈曲して終結し、かつ前記ポールの下端側から延びるロープの先端側を屈曲に沿って保持するロープ保持部を備え、
前記ロープ保持部は、ロープをロープガイドから上方へ容易に離脱させることができるように上方へ開放しており、
前記フックは、前記ロープガイドから離脱して樹木の枝又は幹に掛け回された前記ロープの先端部に形成された係合部に係合させてロープを引き下ろしできるように前記ポールから突出していることを特徴とする樹木の引きロープ取付具。
【請求項３】
前記ロープガイドは、基端側が前記ポールの上端部からその軸線に対して斜め上方へ延出し、中間で湾曲し、先端側がポールの軸線に対して基端側とほぼ同角度で斜めに下降していることを特徴とする請求項１又は２に記載の樹木の引きロープ取付具。
【請求項４】
前記ロープガイドは、上方に開放した樋状部材で構成されることを特徴とする請求項１又は２に記載の樹木の引きロープ取付具。
【請求項５】
前記ロープガイドの基端付近の前記ポール上に、上向きＹ字状に二股に分岐した分岐金具が設けられることを特徴とする請求項１ないし３のいずれかに記載の樹木の引きロープ取付具。
【発明の詳細な説明】
【技術分野】
【０００１】
この発明は、樹木を伐採する際に、樹木を所定の方向へ引き寄せて傾けながら切り倒すための引きロープを樹木の枝又は幹に取付ける工具に関するものである。
【背景技術】
【０００２】
伐採する樹木の高所に引きロープを取付ける工具として、例えば特許文献１に記載されたものが知られている。この工具は、ポールの先端部に備えた軸により開閉自在に支持された一対の湾曲状鋏部材から成る本体に、ガイドロープを仮固定する仮固定具と、各々の鋏部材に架設され本体を閉方向に付勢する第一付勢手段および第一付勢手段よりも弱い付勢力で本体を開方向に付勢する第二付勢手段の各々と、本体を開状態に保持するストッパーおよびこのストッパーを操作して本体の開状態の保持を解消する操作板と、一方の鋏部材において第一付勢手段の一端を保持・開放自在とするピン部材とを備える。引きロープは、ロープ本体に一対の先端部分を設けた略Ｙ字形状のもので、一方の先端部分には係合受け金具を、他方の先端部分には係合突き金具を備える。ロープ本体は紐で操作板とピン部材に接続され、ロープ本体を引いて操作板とピン部材を操作し、鋏部材を閉動作させるように構成される。
【特許文献１】特開平９−２８２１４号公報
【発明の開示】
【発明が解決しようとする課題】
【０００３】
上記従来の引きロープ取付具は、構造が比較的複雑で高価であるし、多くの可動部があり壊れやすい難点がある。また取り扱いが必ずしも簡易でない。
したがって、この発明は、構造が簡単で軽量であり、可動部がなく、堅牢で安価に得られ、しかも取り扱いが容易な引きロープ取付具を提供することを目的とする。
【課題を解決するための手段】
【０００４】
上記課題を解決するため、この発明においては、作業者が下端部を捧げ持つポールと、ポールの上端部に取り付けられるロープガイドとを具備させて引きロープ取付具を構成する。ロープガイドは、ポールの上端部からその軸線に対して所定の角度をもって延出させ、樹木の枝又は幹を半周以上包囲できるように屈曲して終結する。ロープガイドには、ポールの下端側から延びるロープの先端側を屈曲に沿って保持するためのロープ保持部を具備させる。このロープ保持部は、解放されたロープをロープガイドの屈曲に沿って自重で先端側へ滑落させることができるように乗せ受け、かつロープをロープガイドから容易に離脱させることができるように開放している。したがって、ロープガイドを樹木に掛け回した後、ポールの下端側で保持しているロープを解放すると、ロープはロープガイドの屈曲に沿って先端側へ自重で滑落する。
必要に応じて、ロープガイドから離脱して樹木の枝又は幹に掛け回されたロープ先端部の係合部に係合させてロープを引き下ろしできるように、ポールの先端側に、フックを突出させる。
好ましくは、ロープガイドは、基端側がポールの上端部からその軸線に対して斜め上方へ延出し、中間で屈曲し、先端側がポールの軸線に対して基端側とほぼ同角度で斜めに下降する形態とする。
さらに好ましくは、ロープガイドは、上方に開放した樋状部材で構成する。また、ロープガイドの基端付近のポール上に、上向きＹ字状に二股に分岐した分岐金具を設け、これにロープを通すようにすることができる。
【発明の効果】
【０００５】
この発明の引きロープ取付具は、可動部がなく、構造が単純で、堅牢であると共に、安価に得られる。長尺のポールの先にロープガイドを有する構造であるが、ロープの装着、離脱の操作が極めて単純で、容易である。樹木へのロープ掛けを、樹木に登ることなく地上から安全に行うことができるという効果を有する。
【発明を実施するための最良の形態】
【０００６】
図面を参照してこの発明の実施の形態を説明する。図１は本発明の引きロープ取付具の使用状態を示す一部の斜視図、図２は本発明の引きロープ取付具の一部の側面図、図３は本発明の引きロープ取付具によるロープの引き下ろし作業の状態を示す斜視図である。
【０００７】
引きロープ取付具１は、ロープＲを樹木の高所に掛け回すために用いられる。ロープＲは、先端側に錘と係合部を兼ねた先端金具Ｗを備える。引きロープ取付具１は、電気絶縁性で伸縮可能なポール２と、ポール２の上端部に取り付けられるロープガイド３と、同じくポール２の上端部に取り付けられるフック４とを具備する。ポール２は、その下端部を地上の作業者が捧げ持った状態で、ロープガイド３を樹木の所要の高さ位置に掛け回すことができる所要の長さを有する。例えば、送電線の保守のために、送電線付近の樹木を伐採する作業にこの引きロープ取付具１を用いるような場合には、ポール２の電気絶縁性が感電防止のために有効である。
【０００８】
ロープガイド３は、ポール２の上端部からその軸線に対して所定の角度をもって上方へ延出し、樹木Ｔの枝又は幹を半周以上包囲できるようにほぼＵ字状に湾曲して終結する。ロープガイド３は、ロープ保持部５を備える。ロープ保持部５は、ポール２の下端側からポール２に沿って延びるロープＲの先端側をロープガイド３の湾曲に沿うように保持する。ロープ保持部５は、ロープＲを係合離脱させるための上方へ開いた開放部６を備える。そして、ロープ保持部５は、解放されたロープＲをロープガイド３の湾曲に沿って自重で先端側へ滑落させることができるようにロープガイド３上に乗せ受け、かつ開放部６からロープＲを上方へ容易に離脱させることができる構成になっている。ロープガイド３の屈曲は、図示したＵ字状の湾曲に限定されない。ロープＲの先端側への自重滑落を円滑にするため、ロープガイド３を摩擦抵抗の小さい素材で構成したり、ロープガイド３に滑車を付設することもできる。
【０００９】
図示の実施形態において、ロープガイド３は、ポール２の軸線に対してほぼ４５度の角度をもって上方へ延出し、中間でＵ字状に湾曲し、先端側がポール２の軸線に対して基端側とほぼ同角度で斜めに下降している。ロープガイド３の湾曲部は、上方に開放した樋状部材で構成され、樋の両縁がロープ保持部５を構成する。開放部６は上方に向けて設けられる。
【００１０】
ロープガイド３の基端付近には、この基端部に向き合うように延出する分岐金具７が設けられる。分岐金具７は、上向きＹ字状に二股に分岐する。ロープＲは、分岐金具７の分岐部を通してロープガイド３に導入される。
【００１１】
フック４は、図３に示すように、樹木Ｔに掛け回されたロープＲの先端金具Ｗに掛けてロープＲを引き下ろすためのものであり、ポール２から斜め下方に向けて突出している。なお、図示の実施形態においては、ロープガイド３の基端に連続する棒状部が３ａが、実質的にポール２の上端の一部をなしている。ロープガイド３に対するロープＲの先端側への自重滑落が十分円滑であれば、ロープＲの先端は自動的に地上に落下するから、フック４はなくてもよい。
【００１２】
引きロープ取付具１のロープガイド３にロープＲの先端側を掛け回し、基端側を保持した状態で、図示しない地上の作業者が、ポール２を捧げ持ち、図１に示すように、ロープガイド３を樹木Ｔの所定位置に掛け回す。ロープＲがロープガイド３に対して十分円滑に摺動すれば、この状態で、作業者が手元のロープＲを解放すると、ロープＲは自重で先端側に滑落して地上に達する。作業者がポール２を軸周りに回転するように操作すると、ロープＲはロープガイド３の開放部６から抜けて、保持部５から離脱し、樹木Ｔに掛け回された状態で残留する。作業者は、地上に落ちたロープＲの先端側を回収して引き寄せることができる。
【００１３】
ロープＲのロープガイド３からの自重による滑落が困難で、作業者が上記同様の操作でロープＲをロープガイド３から離脱させた後、ロープＲの先端金具Ｗが樹木の高所に吊り下がった状態で残置される場合には、ロープＲの先端金具Ｗにフック４を掛け、作業者の手元まで引き下ろす。
いずれかの方法でロープＲの先端側を手元に引き寄せたら、その一端側に図示しないワイヤロープを接続し、他端側を引いてワイヤロープを樹木に掛け、ループを作って係止する。これで引きロープの取り付けが完了する。
【産業上の利用可能性】
【００１４】
この発明の引きロープ取付具は、例えば山林等で、伐採樹木を一定の方向へ倒そうとするときに、樹木の上部に引きロープを掛け止める作業を地上で安全に行うために利用される。
【図面の簡単な説明】
【００１５】
【図１】本発明の引きロープ取付具の使用状態を示す一部の斜視図である。
【図２】本発明の引きロープ取付具の一部の側面図である。
【図３】本発明の引きロープ取付具によるロープの引き下ろし作業の状態を示す斜視図である。
【符号の説明】
【００１６】
１    引きロープ取付具
２    ポール
３    ロープガイド
４    フック
５    ロープ保持部
６    開放部
７    分岐金具
Ｒ    ロープ
Ｗ    先端金具（係合部）
【図１】
2006238807.tif 000003
【図２】
2006238807.tif 000004
【図３】
2006238807.tif 000005